(57)【要約】【課題】簡単な構造で低コストとなり、組立及び解体の利便性が向上する電子装置ケーシングを提供する。【解決手段】少なくとも一つの係止フックを有する第一蓋と、上記少なくとも一つの係止フックに合わせる少なくとも一つの係合構造を有する第二蓋と、少なくとも一つの突出を有し、上記少なくとも一つの突出が、対応する上記少なくとも一つの係合構造にある所定の上記少なくとも一つの係止フックの側面に貼り合わされて、上記少なくとも一つの係合構造と結合する第三蓋とを有する。【選択図】図２
2009164561.tif 000002
【特許請求の範囲】
【請求項１】
少なくとも一つの係止フックを有する第一蓋と、
上記少なくとも一つの係止フックに合わせる少なくとも一つの係合構造を有する第二蓋と、
少なくとも一つの突出を有し、上記少なくとも一つの突出が、対応する上記少なくとも一つの係合構造にある所定の上記少なくとも一つの係止フックの側面に貼り合わされて、上記少なくとも一つの係合構造と結合する第三蓋と、
を有することを特徴とする電子装置ケーシング。
【請求項２】
上記係合構造は、上記第二蓋の内外空間を連通する貫通穴が形成され、上記貫通穴が、上記第二蓋と上記第三蓋とが互いに結合する縁に位置し、上記第三蓋に位置して対応する突出が、上記貫通穴に挿入されて上記係合構造まで延びることを特徴とする請求項１に記載の電子装置ケーシング。
【請求項３】
上記係合構造は、係合部と分離部とを有し、上記係合部と上記分離部の間に、間隔を置いて溝が形成され、上記係止フックが、上記溝に位置し、上記係合部と係合し、
上記係合構造は、さらに、上記係合部と上記分離部の長手方向の両端に位置する一対の支持リブを備えることを特徴とする請求項１に記載の電子装置ケーシング。
【請求項４】
上記係合部には、第一斜面が形成され、上記係止フックが、上記第一斜面に沿って、上記溝に滑り込むことを特徴とする請求項３に記載の電子装置ケーシング。
【請求項５】
上記係止フックには、第二斜面が形成され、上記係止フックの第二斜面が、上記係合部に沿って上記溝に滑り込むことを特徴とする請求項３に記載の電子装置ケーシング。
【請求項６】
上記第一蓋は、内底面を有し、
上記内底面から上記少なくとも一つの係止フックが延び、
上記第二蓋は、内側壁を有し、
上記内側壁に、上記少なくとも一つの係合構造が設けられ、
上記第三蓋は、内側壁を有し、
上記内側壁から、上記少なくとも一つの突出が延びることを特徴とする請求項３に記載の電子装置ケーシング。
【請求項７】
上記係合部と上記分離部は、上記第二蓋内側壁から突出していることを特徴とする請求項６に記載の電子装置ケーシング。
【請求項８】
上記第二蓋は、さらに、外側壁を有し、上記外側壁に、少なくとも一つの突起が設けられ、
上記突起は、円弧表面を有し、上記第三蓋の内側壁に、少なくとも一つの凹みが設けられ、上記突起が、上記凹みと係合することを特徴とする請求項６に記載の電子装置ケーシング。
【請求項９】
上記第二蓋は、さらに、外側壁を有し、上記外側壁に、少なくとも一つの凹みが設けられ、
上記第三蓋の内側壁に、少なくとも一つの突起が設けられ、上記突起は、円弧表面を有し、上記突起が、上記凹みと係合することを特徴とする請求項６に記載の電子装置ケーシング。
【請求項１０】
上記第三蓋は、第一部分と第二部分とを備え、
上記第二部分の少なくとも一つの突出が、直接に、対応する上記少なくとも一つの係合構造に挿入され、
上記第一部分の少なくとも一つの突出が、滑り込むように、上記少なくとも一つの係合構造に延び、
上記第二蓋は、少なくとも一つの第一貫通穴と少なくとも一つの第二貫通穴とを有し、
上記少なくとも一つの第一貫通穴と上記少なくとも一つの第二貫通穴とが、ともに、上記第二蓋と上記第三蓋とが結合する縁に位置し、
また、上記少なくとも一つの第一貫通穴の長さが、上記少なくとも一つの第二貫通穴の長さよりも長く、上記第三蓋の第二部分の突出が、上記第二貫通穴を介して、上記対応する係合構造に挿入され、上記第三蓋の第一部分の突出が、上記第一貫通穴を介して、上記第二蓋に挿入されて、上記第二部分に近づくように摺動するため、対応する係合構造に滑り込むことを特徴とする請求項１に記載の電子装置ケーシング。
【発明の詳細な説明】
【技術分野】
【０００１】
本発明は、ケーシングに関し、特に、電子装置ケーシングに関する。
【背景技術】
【０００２】
科学技術の発展とともに、移動式電子装置が盛んに用いられている。例えば、携帯電話やＰＤＡ等が普及している。また、既存の電子装置ケーシングは、一般として、ネジにより組み立てられる方法と、上下ケーシングを係合する方法の二種類の組立て方法がある。
【０００３】
前記組み立て方法のうち、ネジを利用する方法は、素子が余計に必要であり、構造が比較的複雑になり、また、電子装置の内部の限られた空間を占用し、さらに、組立てやメンテナンスが不便である。このため、現在では、その方法は殆ど使用されていない。
【０００４】
また、係合により組み立てる方法は、電子装置ケーシングが、上ケーシングと下ケーシングとからなり、一方のケーシングに係止フックが設けられ、他方のケーシングに、対応する凹みが設けられている。
即ち、係止フックと凹みとが係合する構造であるため、ケーシングを手で分離することができ、それにより、部品交換や組み立てを容易にでき、メンテナンスも非常に便利となる。
しかしながら、上記のような設計は、組立／解体の利便性とケーシングを組み立てる時の安定性を両立できない。
例えば、組立解体の利便性向上のためには、係止フックのフック部を短くすることにより、係止フックを容易に凹みから脱離できる。
しかしながら、係止フックのフック部を短くした場合、係止フックが、簡単に凹みから脱離し、そのため、ケーシングの組立安定性が悪くなってしまう。
係止フックが、凹みから脱離することを防止するためには、フック部を長くすることで対処できる。しかしながら、そのようにすると、ケーシングを交換する時、係止フックが凹みから外れ難くなり、ユーザーの使用が不便になる。
【０００５】
そのため、組立解体の利便性とケーシングの組立安定性とを如何にして両立するかが、移動式電子装置ケーシングを設計する際の考慮すべき要素である。
【発明の開示】
【発明が解決しようとする課題】
【０００６】
本発明は、上記の状況を鑑みてなされたものであり、組立解体の利便性を向上し、組立安定性のよい電子装置ケーシングを提供することを目的とする。
【課題を解決するための手段】
【０００７】
本発明は、上記の課題を解決するため、少なくとも一つの係止フックを有する第一蓋と、上記係止フックに合わせる少なくとも一つの係合構造を有する第二蓋と、少なくとも一つの突出を有し、上記突出が、上記係合構造にある所定の上記係止フックの側面に貼り合わされて、上記係合構造と結合する第三蓋とを備える電子装置ケーシングである。
【０００８】
また、上記第一蓋は、内底面を有し、上記内底面から上記少なくとも一つの係止フックが延び、上記第二蓋は、内側壁を有し、上記内側壁に、上記少なくとも一つの係合構造が設けられ、上記第三蓋は、内側壁を有し、上記内側壁から上記少なくとも一つの突出が延びる。
【０００９】
好ましいのは、上記第二蓋は、さらに、外側壁を有し、上記外側壁に、少なくとも一つの突起が設けられ、上記第三蓋の内側壁に、少なくとも一つの凹みが設けられ、上記突起が、上記凹みと係合し、また、選択的に、上記第二蓋の外側壁に、少なくとも一つの凹みが設けられ、上記第三蓋の内側壁に、少なくとも一つの突起が設けられ、上記突起が、上記凹みと係合する。
【００１０】
上記第一蓋と上記第二蓋とは、上記係止フックと係合構造とにより、係合され、上記第三蓋と上記第二蓋とは、その表面の突起と凹みにより、係合され、また、上記第三蓋の突出が、第二蓋の係合構造に延び、上記第一蓋と第二蓋とを結合する。
本発明に係る電子装置ケーシングによれば、組立ての時、他に、例えば、ネジ等の部品を必要とせず、簡単な構造で低コストとなり、組立及び解体の利便性が向上する。
【発明を実施するための最良の形態】
【００１１】
図１は、本発明の第一実施形態を示す電子装置ケーシング１００の構造概念図である。
この電子装置ケーシング１００は、第一蓋１と第二蓋２及び第三蓋３を備える。
【００１２】
図２乃至図５及び図１１と図１２に示すように、上記第一蓋１は、下縁１０と内側壁１２及び内底面１４を有している。上記内底面１４は、下方に少なくとも一つの係止フック１１が延設されている。
より好ましくは、上記係止フック１１と上記内側壁１２とが一体成形され、上記係止フック１１は、弾性アーム１１１と、この弾性アーム１１１の末端に設けられて外へ突出するフック部１１２とを有し、上記フック部１１２は、斜面１１２１を有する。
【００１３】
また、図２と図６乃至図９に示すように、上記第二蓋２は、上縁２０と下縁２１、及び上記上縁２０と上記下縁２１の間に介在する側壁を有している。
上記側壁は、内側壁２２と外側壁２４を有し、上記内側壁２２に、上記少なくとも一つの係止フック１１に対応する少なくとも一つの係合構造２３が設けられる。また、上記外側壁２４において、上記下縁２１の近くに、少なくとも一つの突起２５が設置される。
【００１４】
上記係合構造２３は、一対の支持リブ２３１と、斜面２３２１を有する係合部２３２と、分離部２３３と、上記第二蓋２の側壁の上記下縁２１の近くに形成された上記第二蓋２の内外空間を連通する貫通穴２３６とを備える。
上記貫通穴２３６の中空空間は、上記支持リブ２３１内まで伸び、上記係合部２３２と上記分離部２３３は、それぞれ、所定の長さを有し、その長手方向が、上記第二蓋２の上縁２０と等距離で平行に形成されている。上記係合部２３２と上記分離部２３３との間には、所定の間隔を置いて、溝２３４が形成されている。
また、上記支持リブ２３１は、それぞれ、上記係合部２３２と上記分離部２３３の長手方向の両端に位置し、上記第二蓋２の内側壁２２から伸びる一対のブロックである。この支持リブ２３１は、上記第二蓋２の上縁２０と面一となる上面を有し、この上面に、上記第一蓋１の下縁１０が支持され、上記支持リブ２３１により、上記第二蓋２の内外側壁の耐衝撃性が強化される。よって、これにより、衝撃を受けた時、ケーシングの変形程度が低減される。
【００１５】
また、図２と図１０乃至図１２に示すように、上記第三蓋３は、上縁３０と、内側壁３２と、この内側壁３２に設けられ、上記突起２５に対応する少なくとも一つの凹み３５と、上記内側壁３２から上方に延設され、少なくとも一つの上記係合構造２３の貫通穴２３６に対応する少なくとも一つの突出３１とを備える。
上記突出３１は、上記貫通穴２３６から上記係合構造２３に挿入され、上記凹み３５が、上記突起２５と係合する。
【００１６】
組立ての時、まず、上記第一蓋１を上記第二蓋２に嵌め込み、嵌め込む時、係止フック１１のフック部１１２が、上記溝２３４の中に位置するまで、上記斜面２３２１に沿って、下へ摺動して、上記係合部２３２と係合する。これにより、上記第一蓋１と上記第二蓋２とが結合される。また、上記係止フック１１のフック部１１２に斜面１１２１が形成されていることにより、上記係止フック１１は、上記係合部２３２に沿って下へ上記溝２３４中まで摺動して、上記係合部２３２との係合が容易になされる。
言い換えれば、上記係合部２３２の斜面２３２１と上記係止フック１１の斜面１１２１の何れかの一つにより、上記係止フック１１が、上記係合部２３２に沿って、下へ摺動して上記係合部２３２と係合することが容易になる。
そして、その後、上記第三蓋３の突出３１が上記貫通穴２３６に挿入され、上記突出３１と上記係止フック１１の上記フック部１１２の反対側の側部とが貼り合わされ、これにより、上記フック部１１２が、上記溝２３４から脱離しないようになされる。
即ち、上記係止フック１１と上記係合構造２３とが、安定に係合され、そのため、上記第一蓋１と上記第二蓋２とが、安定に結合され、また、上記第一蓋１の下縁１０と上記第二蓋２の上縁２０とが貼り合わされる。
また、上記突出３１を挿入することにより、上記第三蓋３の上縁３０と上記第二蓋２の下縁２１とが、貼り合わされ、この時、上記第二蓋２の外側壁２４に設けられた突起２５が、上記第三蓋３の内側壁３２に設けられた凹み３５に嵌め込まれ、これにより、上記第二蓋２と上記第三蓋３とが、安定に結合される。
【００１７】
また、上記第二蓋２の外側壁２４に設けられた突起２５は、円弧表面を有することが好ましく、上記第二蓋２と上記第三蓋３とにおいて、対応する上記突起２５と上記凹み３５とが係合するが、接着されることはないため、上記第二蓋２と上記第三蓋３とを容易に外すことができる。無論、突起２５に類似する構造が、上記第三蓋３に設けられ、それに対応して、凹み３５に類似する構造が、上記第二蓋２に設けられても、同じ効果が得られる。
【００１８】
このように本実施形態の電子装置ケーシング１００は、第一蓋１と第二蓋２及び第三蓋３が、上記係止フック１１と上記係合構造２３及び上記突出３１の間の係合や挿設により、安定的な一体構造になり、その組立ては、例えば、ネジ等他の余計な部品を必要とせず、簡単な構造で低コストを実現でき、組立てにおいて利便性を得ることができる。
【００１９】
一方、取り外す（解体する）時には、上記第三蓋３を、上記第二蓋２から離れる方向へ引っ張ると（例えば、図１１の矢印Ｄの方向）、上記第二蓋２の外側壁２４に設置された突起２５が円弧表面を有し、また、それに合わせて、上記第三蓋３にある凹み３５も円弧凹面を有するため、所定の引き力により、上記第二蓋２の突起２５が、上記第三蓋３の凹み３５から脱離する。そのため、上記第三蓋３が、上記第二蓋２から取り出され、この時、上記突出３１が、上記係止フック１１の弾性アーム１１１から離れ、これにより、上記係止フック１１のフック部１１２が、簡単に、溝２３４から逃げ、さらに、係止フック１１が係合構造２３から外れ、第一蓋１と第二蓋２が、分離される。
このような取り外しの過程からも分かるように、上記電子装置ケーシング１００の解体は簡単である。
【００２０】
続いて、図１３乃至図１５に基づき、本発明の電子装置ケーシングに係る第二実施形態について説明する。図示するように、本実施形態において、本発明に係る電子装置ケーシング４００は、第一蓋４１０と第二蓋４２０及び第三蓋４３０を備える。
【００２１】
第一実施形態と同じように、上記第一蓋４１０は、複数の係止フック４１１を有し、上記第二蓋４２０内側壁に、複数のそれに対応する係合構造４２８が設置され、上記第一蓋４１０と上記第二蓋４２０とは、それらの係止フック４１１とそれらの係合構造４２８とにより、結合される。
【００２２】
異なるのは、まず、上記電子装置ケーシング４００に、さらに、弾性ボタン４４０を備えることである。上記弾性ボタン４４０は、一対のバネ４４１と一つのボタン４４２を備え、上記第二蓋４２０に設置される。
詳しくは、上記第二蓋４２０と上記第三蓋４３０とが結合される表面の一端に、凹槽４２１が設けられ、上記弾性ボタン４４０が、上記凹槽４２１に収納される。そして、組立状態で、上記弾性ボタン４４０のボタン４４２が、上記第三蓋４３０の表面と一致するようになされている。
【００２３】
また、上記第三蓋４３０は、第一部分４３１と第二部分４３２とからなる。上記第一部分４３１には、その一端に、弾性ボタン４４０のボタン４４２を収納する孔４３５が形成され、また、上記第二蓋４２０に対応する縁に、少なくとも、一つの突出４３３が（図１４では上方に）延びている。また、上記第二部分４３２には、上記第二蓋４２０に対応する縁に、少なくとも一つの突出４３４が（図１４では上方に）延びている。
【００２４】
また、上記第二蓋４２０において、上記第三蓋４３０の第一部分４３１に対応する縁には、少なくとも一つの比較的長い貫通穴４２２が設けられ、上記第三蓋４３０の第二部分４３２に対応する縁には、少なくとも一つの比較的短い貫通穴４２３が設置されている。上記貫通穴４２２、４２３は、第二蓋４２０の内側壁に設置された係合構造４２８の位置に対応し、また、比較的短い貫通穴４２３が、第一実施例中の貫通穴２３６と同じものである。
上記第三蓋４３０の第二部分４３２の突出４３４は、直接、上記貫通穴４２３に挿入可能であり、上記第一蓋４１０と上記第二蓋４２０とが、合わせられると、上記突出４３４が、上記貫通穴４２３に挿入された後、その突出４３４の上端が、係止フック４１１に貼り合わされる。これにより、係止フック４１１が、第二蓋４２０内側壁の係合構造４２８から抜け外れることを防止できる。そのため、第一実施形態と同じように、上記第一蓋４１０と上記第二蓋４２０とを結合し、上記第三蓋４３０の第一部分４３１の突出４３３を、上記貫通穴４２２に挿入すると、上記第三蓋４３０の第一部分４３１が、所定の距離を摺動する。これにより、上記突出４３３が、上記第二蓋４２０内側壁の係合構造４２８に滑り込み、上記係合構造４２８に嵌め込まれた係止フック４１１が、係合構造４２８から脱離することが防止され、上記第一蓋４１０と上記第二蓋４２０とが結合される。
【００２５】
図１６乃至図１８は、上記電子装置ケーシング４００の組立て過程の各状態の概念図である。図１６に示すように、第一蓋４１０と上記第二蓋４２０とを係合する際には、上記第一蓋４１０は、係合された上記係止フック４１１と上記係合構造４２８の斜面に沿って、上記第二蓋４２０に滑り込む。また、図１７に示すように、上記第三蓋４３０の第二部分４３２の突出４３４が、上記第二蓋４２０の貫通穴４２３に挿入され、上記第二部分４３２と上記第二蓋４２０とが結合される。また、上記突出４３４により、上記第一蓋４１０が固定される。
また、上記第一蓋４１０の係止フック４１１と上記第二蓋４２０の係合構造４２８とが係合することにより、上記第一蓋４１０と第二蓋４２０及び第三蓋４３０の第二部分４３２は、一体に組立てられる。
そして、図１８に示すように、上記第三蓋４３０の第一部分４３１の突出４３３を、上記第二蓋４２０の貫通穴４２２に挿入し、上記第一部分４３１が、上記第二部分４３２に向かって摺動し、上記第一部分４３１が、第二部分４３２に接触するまで摺動すると、突出４３３が、上記係合構造４２８に滑り込む。
これにより係止フック４１１が、第二蓋４２０の内側壁の係合構造４２８からの抜け外れが防止される。そのため、上記第一蓋４１０と上記第二蓋４２０とが結合され、また、上記弾性ボタン４４０のボタン４４２が、弾力により、孔４３５に伸び、この時、上記第三蓋４３０の第一部分４３１も、上記第一蓋４１０及び第二蓋４２０と、一体に組立てられる。これにより、上記電子装置ケーシング４００が組立てられ、図１３に示す状態となる。
【００２６】
尚、第一実施形態と同じように、結合された上記第二蓋４２０と上記第三蓋４３０との縁にも、それぞれ、対応する突起と凹陷構造が設けられてもよく、それにより上記第二蓋４２０と上記第三蓋４３０との結合安定性を向上することができる。
【００２７】
以下、例を挙げて、上記弾性ボタン４４０の構造と効果を説明する。図１４と図１９に示すように、上記第二蓋４２０の凹槽４２１は、底面４２１１と両側壁４２１２を有する。上記底面４２１１と上記側壁４２１２との間には、中空部４２１３があり、上記底面４２１１に、少なくとも一つの立て柱４２１４が設けられ、上記弾性ボタン４４０は、上記立て柱４２１４に実装される少なくとも一つのバネ４４１と、バネ４４１の上端に設けられるボタン４４２とを備える。そして、上記ボタン４４２から下へ両弾性アーム４４２１が伸び、上記弾性アーム４４２１の末端が、フック部４４２２を形成し、このフック部４４２２が、上記中空部４２１３に伸び、上記側壁４２１２に係止し、これにより、上記弾性ボタン４４０が、上記凹槽４２１に固定される。
組立て状態では、上記弾性ボタン４４０は、図１５の状態において、凹槽４２１に安定に保持され、また、所定の圧力下で、上記ボタン４４２が、下へ移動するようになされている。
そして、上記第三蓋４３０の第一部分４３１と上記第二蓋４２０とを結合する際、上記ボタン４４２は上記第一部分４３１により圧迫されて下方へ変位する。上記弾性ボタン４４０が孔４３５の位置に対応するよう上記第一部分を摺動すると、上記ボタン４４２は、上記バネ４４１により付勢され、上記ボタン４４２が、孔４３５に嵌り込み、上記第一部分４３１と上記第二蓋４２０との結合が、より緊密になる。
【００２８】
一方、上記電子装置ケーシング４００を取り外す時、まず、上記弾性ボタン４４０を押すことにより、上記第三蓋４３０の第一部分４３１を、上記第二部分４３２から離れる方向へ摺動することができる。そして、突出４３３が、上記第二蓋４２０の内側壁の係合構造４２８から滑り出すようにして第一部分４３１を取り外すことができる。
その後、第一実施形態と同じ方法で、順に、第三蓋４３０の第二部分４３２と上記第二蓋４２０及び上記第一蓋４１０を取り外すことができる。
【００２９】
以上は、ただ、本発明のより好ましい実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００３０】
【図１】本発明の第一実施形態を示す電子装置ケーシングの組立て状態の構造概念図である。
【図２】図１の電子装置ケーシングの分解図である。
【図３】図２の電子装置ケーシングの第一蓋の局部拡大図であって、その係止フックの構造を示す図である。
【図４】図１の電子装置ケーシングの第一蓋の上面斜視概念図である。
【図５】図４の電子装置ケーシングの第一蓋の局部拡大図であって、他の角度で見る時の係止フックの構造である。
【図６】図１の電子装置ケーシングの第二蓋の上面斜視概念図である。
【図７】図１の電子装置ケーシングの第二蓋の局部拡大図であって、その係合構造を示す図である。
【図８】図１の電子装置ケーシングの第二蓋の局部拡大図であって、その突起の構造を示す図である。
【図９】図２の第二蓋のＡ−Ａに沿う局部拡大断面図である。
【図１０】図１の電子装置ケーシングの第三蓋の局部拡大図であって、その凹みの構造を示す図である。
【図１１】図１の電子装置ケーシングのＢ−Ｂに沿う断面図である。
【図１２】図１１の電子装置ケーシングの局部Ｆの拡大図であって、上記第三蓋が、上記第一蓋と上記第二蓋に結合される状態を示す図である。
【図１３】本発明の第二実施形態を示す電子装置ケーシングの組立て図である。
【図１４】図１３の電子装置ケーシングの分解図である。
【図１５】図１３の電子装置ケーシングの分解図である。
【図１６】図１３の電子装置ケーシングの組立て過程の各状態概念図である。
【図１７】図１３の電子装置ケーシングの組立て過程の各状態概念図である。
【図１８】図１３の電子装置ケーシングの組立て過程の各状態概念図である。
【図１９】図１３の電子装置ケーシングのＣ−Ｃに沿う断面図である。
【符号の説明】
【００３１】
１，４１０              第一蓋
１０                    第一蓋下縁
１００，４００          電子装置ケーシング
１１，４１１            係止フック
１１１                  弾性アーム
１１２                  フック部
１２                    第一蓋内側壁
１４                    第一蓋内底面
２，４２０              第二蓋
２０                    第二蓋上縁
２１                    第二蓋下縁
２２                    第二蓋内側壁
２３，４２８            係合構造
２３１                  支持リブ
２３２                  係合部
２３３                  分離部
２３４                  溝
２４                    第二蓋外側壁
２５                    突起
３，４３０              第三蓋
３０                    第三蓋上縁
３１，４３３，４３４    突出
３２                    第三蓋内側壁
３５                    凹み
４２１                  凹槽
４２１１                凹槽底面
４２１２                側壁
４２１３                中空部
４２１４                立て柱
４２２，４２３，２３６  貫通穴
４３１                  第三蓋の第一部分
４３２                  第三蓋の第二部分
４３５                  孔
４４０                  弾性ボタン
４４１                  バネ
４４２                  ボタン
４４２１                ボタン弾性アーム
４４２２                ボタンフック部
【図１】
2009164561.tif 000003
【図２】
2009164561.tif 000004
【図３】
2009164561.tif 000005
【図４】
2009164561.tif 000006
【図５】
2009164561.tif 000007
【図６】
2009164561.tif 000008
【図７】
2009164561.tif 000009
【図８】
2009164561.tif 000010
【図９】
2009164561.tif 000011
【図１０】
2009164561.tif 000012
【図１１】
2009164561.tif 000013
【図１２】
2009164561.tif 000014
【図１３】
2009164561.tif 000015
【図１４】
2009164561.tif 000016
【図１５】
2009164561.tif 000017
【図１６】
2009164561.tif 000018
【図１７】
2009164561.tif 000019
【図１８】
2009164561.tif 000020
【図１９】
2009164561.tif 000021